【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
第１のデジタル映画構成のプレイアウトを追跡するための方法であって、
ａ）前記第１のデジタル映画構成がプレイアウトされている間に第１の補助コンテンツに対応する第１の識別情報を検出するステップであって、前記第１の識別情報は、前記第１のデジタル映画構成、前記第１のデジタル映画構成のリール、前記第１の補助コンテンツを含む補助コンテンツ・ファイル、および前記第１の補助コンテンツの少なくとも一部のうち１つに固有である、ステップと、
ｂ）再生された前記第１のデジタル映画構成を表す第１のデータを前記第１の識別情報に基づいてログに取るステップと、
を含む、前記方法。
【請求項２】
ｃ）前記第１のデジタル映画構成の特定の部分が再生されたことを少なくとも前記第１の識別情報から確認するステップと、
をさらに含み、前記第１のデータはさらに前記特定の部分を表す、請求項１に記載の方法。
【請求項３】
ｃ）前記第１のデジタル映画構成の特定の部分が再生されたことを少なくとも前記第１の識別情報から確認するステップと、
をさらに含み、前記ログに取るステップが、前記特定の部分が少なくとも前記第１のデジタル映画構成の予め定められた部分であることに応答して行われる、請求項１に記載の方法。
【請求項４】
前記第１の識別情報はキャプションに存在する、請求項１に記載の方法。
【請求項５】
前記第１の識別情報はサブタイトルに存在する、請求項１に記載の方法。
【請求項６】
前記第１の識別情報はリソース表示リストに存在する、請求項１に記載の方法。
【請求項７】
前記第１の識別情報はリール識別データに存在する、請求項１に記載の方法。
【請求項８】
ｃ）ステップａ）およびｂ）を複数の第１のデジタル映画構成に対して繰り返し実施するステップと、
ｄ）どの第１のデジタル映画構成が再生されたかを示すレポートを前記第１のデータに基づいて生成するステップと、
をさらに含む、請求項１に記載の方法。
【請求項９】
ｄ）ステップａ）、ｂ）、およびｃ）を複数の第１のデジタル映画構成に対して繰り返し実施するステップと、
ｅ）どの第１のデジタル映画構成がどの特定の部分まで再生されたかを示すレポートを前記第１のデータに基づいて生成するステップと、
をさらに含む、請求項３に記載の方法。
【請求項１０】
ｃ）第２のデジタル映画構成に対応する第２の識別情報を検出するステップであって、前記第２のデジタル映画構成はフィーチャである、ステップと、
ｄ）再生された前記第２のデジタル映画構成を表す第２のデータを前記第２の識別情報に基づいてログに取るステップであって、前記第２のデータはさらに前記第２のデジタル映画構成の第１の開始時刻を含む、ステップと、
をさらに含み、
前記第１のデータはさらに前記第１のデジタル映画構成の第２の開始時刻を含み、
前記第１のデジタル映画構成が前記第２のデジタル映画構成の前の予め定められた期間内に再生されたかどうかを前記第１の開始時刻と前記第２の開始時刻とを比較することによって判定することができる、請求項１に記載の方法。
【請求項１１】
ｅ）ステップａ）およびｂ）を複数の第１のデジタル映画構成の各々に対して繰り返し実施するステップと、
ｆ）前記複数の第１のデジタル映画構成が再生されたことを前記第１のデータに基づいて示すレポートを生成するステップであって、前記レポートはさらに、前記第２のデジタル映画構成の前の前記予め定められた期間内に再生された前記それらの第１のデジタル映画構成を示すステップと、
を含む、請求項１０に記載の方法。
【請求項１２】
第１のデジタル映画構成のプレイアウトを追跡するためのシステムであって、
ａ）前記第１のデジタル映画構成がプレイアウトされている間に、第１の補助コンテンツに対応する第１の識別情報を検出し、前記第１の識別情報は、前記第１のデジタル映画構成、前記第１のデジタル映画構成のリール、前記第１の補助コンテンツを含む補助コンテンツ・ファイル、および前記第１の補助コンテンツの少なくとも一部のうち１つに固有であり、
ｂ）再生された前記第１のデジタル映画構成を表す第１のデータを前記第１の識別情報に基づいてログに取る
ためのプレイアウト監視モジュールを備えた、前記システム。
【請求項１３】
前記プレイアウト監視モジュールはさらに、（ｃ）前記第１のデジタル映画構成の特定の部分が再生されたことを少なくとも前記第１の識別情報から確認し、前記第１のデータはさらに前記特定の部分を表す、請求項１２に記載のシステム。
【請求項１４】
前記プレイアウト監視モジュールはさらに、（ｃ）前記第１のデジタル映画構成の特定の部分が再生されたことを少なくとも前記第１の識別情報から確認し、前記ログに取ることは、前記特定の部分が少なくとも前記第１のデジタル映画構成の予め定められた部分であることに応答して行われる、請求項１２に記載のシステム。
【請求項１５】
前記第１の識別情報はキャプションに存在する、請求項１２に記載のシステム。
【請求項１６】
前記第１の識別情報はサブタイトルに存在する、請求項１２に記載のシステム。
【請求項１７】
前記第１の識別情報はリソース表示リストに存在する、請求項１２に記載のシステム。
【請求項１８】
前記第１の識別情報はリール識別データに存在する、請求項１２に記載のシステム。
【請求項１９】
前記補助コンテンツ・ファイルと前記第１の識別情報とを格納するためのデータベースをさらに備える、請求項１２に記載のシステム。
【請求項２０】
前記プレイアウト監視モジュールは、どの補助コンテンツ・ファイルがどれだけ長く再生されたかを、ログに取った前記補助コンテンツ・ファイルと前記第１の識別情報がアクティブか否かとに従って示すレポートを生成する、請求項１２に記載のシステム。
【請求項２１】
前記プレイアウト監視モジュールはさらに、（ｃ）第２のデジタル映画構成に対応する第２の識別情報を検出し、前記第２のデジタル映画構成はフィーチャであり、（ｄ）再生された前記第２のデジタル映画構成を表す第２のデータを前記第２の識別情報に基づいてログに取り、前記第２のデータはさらに前記第２のデジタル映画構成の第１の開始時刻を含み、前記第１のデータはさらに前記第１のデジタル映画構成の第２の開始時刻を含み、前記第１のデジタル映画構成が前記第２のデジタル映画構成の前の予め定められた期間内に再生されたかどうかを前記第１の開始時刻と前記第２の開始時刻を比較することによって判定することができる、請求項１２に記載のシステム。
【手続補正２】
【補正対象書類名】明細書
【補正対象項目名】００６７
【補正方法】変更
【補正の内容】
【００６７】
明らかに、他のデータベース構造が本発明を実施する際に使用される例示的なスキーマ８００と同じ機能を提供することができる。上記の例示的な実施形態では関係データベースを説明したが、他のパラダイムが同じ結果を上手く提供できることを当業者は本発明の教示事項から認識するであろう。したがって、デジタル映画サーバの補助コンテンツ（例えば、クローズド・キャプション）インタフェースが、報告と課金に関して広告のプレイアウトを検証する役割を果たすことができる。かかるシステムを、トレーラのプレイアウトの検証に、それが望まれる場合に使用することができる。
［付記１］
第１のデジタル映画構成のプレイアウトを追跡するための方法であって、
ａ）前記第１のデジタル映画構成がプレイアウトされている間に第１の補助コンテンツに対応する第１の識別情報を検出するステップであって、前記識別情報は、前記第１のデジタル映画構成、前記第１のデジタル映画構成のリール、前記第１の補助コンテンツを含む補助コンテンツ・ファイル、および前記第１の補助コンテンツの少なくとも一部のうち１つに固有であるステップと、
ｂ）再生された前記構成を表す第１のデータを前記識別情報に基づいてログに取るステップと、
を含む、前記方法。
［付記２］
ｃ）前記第１のデジタル映画構成の特定の部分が再生されたことを少なくとも前記識別情報から確認するステップと、
をさらに含み、前記データはさらに前記特定の部分を表す、付記１に記載の方法。
［付記３］
ｃ）前記第１のデジタル映画構成の特定の部分が再生されたことを少なくとも前記識別情報から確認するステップと、
をさらに含み、前記ログに取るステップが、前記特定の部分が少なくとも前記第１のデジタル映画構成の所定の部分であることに応答して行われる、付記１に記載の方法。
［付記４］
前記識別情報はキャプションに存在する、付記１に記載の方法。
［付記５］
前記識別情報はサブタイトルに存在する、付記１に記載の方法。
［付記６］
前記識別情報はリソース表示リストに存在する、付記１に記載の方法。
［付記７］
前記識別情報はリール識別データに存在する、付記１に記載の方法。
［付記８］
ｃ）ステップａ）およびｂ）を複数の構成に対して繰り返し実施するステップと、  ｄ）どの構成が再生されたかを示すレポートを前記データに基づいて生成するステップと、
をさらに含む、付記１に記載の方法。
［付記９］
ｄ）ステップａ）、ｂ）、およびｃ）を複数の構成に対して繰り返し実施するステップと、
ｅ）どの構成がどの特定の部分に対して再生されたかを示すレポートを前記データに基づいて生成するステップと、
をさらに含む、付記３に記載の方法。
［付記１０］
ｃ）第２のデジタル映画構成に対応する第２の識別情報を検出するステップであって、前記第２のデジタル映画構成はフィーチャである、ステップと、
ｄ）再生された前記第２のデジタル映画構成を表す第２のデータを前記第２の識別情報に基づいてログに取るステップであって、前記第２のデータはさらに前記第２のデジタル映画構成の第１の開始時刻を含む、ステップと、
をさらに含み、
前記第１のデータはさらに前記第１のデジタル映画構成の第２の開始時刻を含み、
前記第１の構成が前記第２の構成の前の所定期間内に再生されたかどうかを前記第１の開始時刻と前記第２の開始時刻とを比較することによって判定することができる、付記１に記載の方法。
［付記１１］
ｅ）ステップａ）およびｂ）を複数の第１の構成の各々に対して繰り返し実施するステップと、
ｆ）前記複数の第１の構成が再生されたことを前記第１のデータに基づいて示すレポートを生成するステップであって、前記レポートはさらに、前記第２の構成の前の前記所定期間内に再生された第１の構成を示すステップと、
を含む、付記１０に記載の方法。
［付記１２］
第１のデジタル映画構成のプレイアウトを追跡するためのシステムであって、
ａ）前記第１のデジタル映画構成がプレイアウトされている間に、第１の補助コンテンツに対応する第１の識別情報を検出し、前記識別情報は、前記第１のデジタル映画構成、前記第１のデジタル映画構成のリール、前記第１の補助コンテンツを含む補助コンテンツ・ファイル、および前記第１の補助コンテンツの少なくとも一部のうち１つに固有であり、ｂ）再生された前記構成を表す第１のデータを前記識別情報に基づいてログに取るためのプレイアウト監視モジュールを備えた、前記システム。
［付記１３］
前記プレイアウト監視モジュールはさらに、（ｃ）前記構成の特定の部分が再生されたことを少なくとも前記第１の識別情報から確認し、前記データはさらに前記特定の部分を表す、付記１２に記載のシステム。
［付記１４］
前記プレイアウト監視モジュールはさらに、（ｃ）前記構成の特定の部分が再生されたことを少なくとも前記第１の識別情報から確認し、前記ログに取ることは、前記特定の部分が少なくとも前記構成の所定の部分であることに応答して行われる、付記１２に記載のシステム。
［付記１５］
前記識別情報はキャプションに存在する、付記１２に記載のシステム。
［付記１６］
前記識別情報はサブタイトルに存在する、付記１２に記載のシステム。
［付記１７］
前記識別情報はリソース表示リストに存在する、付記１２に記載のシステム。
［付記１８］
前記識別情報はリール識別データに存在する、付記１２に記載のシステム。
［付記１９］
前記補助コンテンツ・ファイルと識別情報とを格納するためのデータベースをさらに備える、付記１２に記載のシステム。
［付記２０］
前記プレイアウト監視モジュールは、どの補助コンテンツ・ファイルがどれだけ長く再生されるかを、ログに取った前記補助コンテンツ・ファイルと識別情報のアクティビティとに従って示すレポートを生成する、付記１２に記載のシステム。
［付記２１］
前記プレイアウト監視モジュールはさらに、（ｃ）第２のデジタル映画構成に対応する第２の識別情報を検出し、前記第２のデジタル映画構成はフィーチャであり、（ｄ）再生された前記第２のデジタル映画構成を表す第２のデータを前記第２の識別情報に基づいてログに取り、前記第２のデータはさらに前記第２のデジタル映画構成の第１の開始時刻を含み、前記第１のデータはさらに前記第１のデジタル映画構成の第２の開始時刻を含み、前記第１の構成が前記第２の構成の前の所定期間内に再生されたかどうかを前記第１の開始時刻と前記第２の開始時刻を比較することによって判定することができる、付記１２に記載のシステム。